(57)【要約】【課題】  仕様の異なるカメラでも共通化できる部品の数を増やす。【解決手段】  写真カメラのボディ本体１１に、ボディ本体１１とは別体の電池収納ユニット１６を連結して一体化する。電池収納ユニット１６にメインコンデンサ５５を保持するためのコンデンサ保持部材６６と、裏蓋１３の開閉を検出する裏蓋開閉検出器４６と、制御用ＰＣＢ３８を固定するためのＰＣＢ取付部６０と、ストラップ固定具３２を固定するための固定具取付部６１と、モータ４２を保持するためのモータ保持部材６３とを設ける。各機能部品が設けられている電池室収納ユニット１６は、仕様の異なる写真カメラでも共通化できるので、仕様の異なるカメラでも共通化できる部品の数を増やすことができる。【選択図】        図４
2006030797.tif 000002
【特許請求の範囲】
【請求項１】
撮影レンズ、ファインダ及びストロボ発光部が設けられているボディ本体に、電源電池の収納室が形成されるとともに、ストロボ用のメインコンデンサと、前記撮影レンズのズーミング時に駆動されるズームモータと、前記ボディ本体に開閉自在に軸着されているフイルム装填用の装填蓋が閉じられたことを検知する検知手段と、一端側が前記ボディ本体に固定された回路基板の他端側を固定する取り付け部と、の少なくともいずれか１つが設けられた別体のユニット部品を連結して一体化したことを特徴とするカメラボディの構造。
【発明の詳細な説明】
【技術分野】
【０００１】
本発明は、電池を電源としているカメラのカメラボディの構造に関するものである。
【背景技術】
【０００２】
写真カメラのカメラ本体には、撮影を行うための撮影機構やフイルム給送機構の他に、これら各機構を駆動するためのモータ、ストロボ、各種センサ、ＣＰＵなどの動作させるのに電気を必要とする各種の部品が多数組み込まれている（特許文献１参照）。これらモータやストロボなどを動作させる電源としては、電池を用いるのが通常である。
【０００３】
写真カメラで使用される電池の種類としては、アルカリ電池などの１次電池やニッケル水素電池などの２次電池等があり、写真カメラのメーカや各メーカの機種毎に、使用される電池の種類は予め決められている。そのため、写真カメラには、使用される電池の形状に合わせた電池収納室が形成されている。そして、この電池収納室は、カメラの組立工数を減らして、カメラの製造コストを低コスト化できるように、カメラボディ（カメラ本体）と一体に形成されているのが通常である。
【０００４】
【特許文献１】特開２００２−６２５６９号公報（第３〜５頁）
【発明の開示】
【発明が解決しようとする課題】
【０００５】
ところで、電池収納室をカメラボディと一体に形成することで、カメラの組立工数を減らすことは可能であるが、この電池収納室は使用される電池の形状に合わせた形状に形成されているので、機種毎に使用される電池の種類が異なる場合には、それ以外の撮影レンズやレンズ鏡胴などのカメラの仕様がほぼ同じでも、カメラボディを共通化させることができない。そのため、仕様の異なる多機種のカメラを製造する場合には、電池収納室をカメラボディと一体に形成することで逆に製造コストが高くなってしまうおそれがある。また、使用される電池の種類が異なる場合には、それぞれの機種毎にカメラボディを設計する必要があるので、設計作業に非常に手間が掛かってしまう。
【０００６】
そこで、電池収納室を有する電池収納ユニットをカメラボディと別体に設けることで、仕様が異なる多機種のカメラで電池収納ユニットを共通化させる方法もある。この場合は共通化されるのが電池収納ユニット（電池収納室）のみであるため、低コスト化を図ったり、設計作業の手間を減らしたりするのには限界がある。そのため、共通化できる部品の数を増やすことが要請されている。
【０００７】
本発明は、上記問題を解決するためのものであり、仕様の異なるカメラで共通化できる部品の数を増やすことができるようにしたカメラのカメラボディの構造を提供することを目的とする。
【課題を解決するための手段】
【０００８】
本発明は、撮影レンズ、ファインダ及びストロボ発光部が設けられているボディ本体に、電源電池の収納室が形成されるとともに、ストロボ用のメインコンデンサと、前記撮影レンズのズーミング時に駆動されるズームモータと、前記ボディ本体に開閉自在に軸着されているフイルム装填用の装填蓋が閉じられたことを検知する検知手段と、一端側が前記ボディ本体に固定された回路基板の他端側を固定する取り付け部と、の少なくともいずれか１つが設けられた別体のユニット部品を連結して一体化したことを特徴とする。
【発明の効果】
【０００９】
本発明のカメラボディの構造によれば、撮影レンズ、ファインダ及びストロボ発光部が設けられているボディ本体に、電源電池の収納室が形成されるとともに、ストロボ用のメインコンデンサと、前記撮影レンズのズーミング時に駆動されるズームモータと、前記ボディ本体に開閉自在に軸着されているフイルム装填用の装填蓋が閉じられたことを検知する検知手段と、一端側が前記ボディ本体に固定された回路基板の他端側を固定する取り付け部と、の少なくともいずれか１つが設けられた別体のユニット部品を連結して一体化するようにしたので、各種の機能部品を保持した前記ユニット部品を仕様の異なるカメラで共通化させることができる。その結果、仕様の異なる多機種のカメラで共通化できる部品の数を増やすことができるので、カメラの製造コストを下げることができる。また、仕様の異なるカメラを設計するときは、共通化されていない部分、つまり、仕様が異なっている部分のみを新たに設計すればよいので、設計作業の手間を減らすことができる。
【発明を実施するための最良の形態】
【００１０】
図１及び図２は、本発明を実施した写真カメラ１０の正面斜視図及び背面斜視図を示したものである。写真カメラ１０は、大別して、撮影機構が組み込まれたカメラボディ本体１１（図３参照）と、カメラボディ本体（以下、単にボディ本体という）１１の前面、側面、及び背面の一部を覆うように形成された本体カバー１２と、ボディ本体１１に軸着され、写真フイルム装填時に開閉される装填蓋（裏蓋）１３と、写真カメラ１０の各部に電力を供給する電池１５（図４参照）が収納される電池収納ユニット１６（図３参照）と、電池収納ユニット１６を覆うように形成された電池蓋１７とから構成される。
【００１１】
本体カバー１２（ボディ本体１１）の前面には、撮影レンズ２０が組み込まれたレンズ鏡筒２１、ストロボ装置（図示せず）を構成するストロボ発光部２３、測距窓２４、自動露出用の測光窓２５、ファインダを構成する対物側ファインダ窓２６、セルフタイマ表示窓２７などが設けられている。レンズ鏡胴２１は、未使用時に本体カバー１２の内部に収納された収納位置と、撮影時に本体カバー１２から突出した突出位置との間で移動可能になっている。
【００１２】
本体カバー１２の上面にはレリーズボタン２８が設けられている。また、本体カバー１２の背面には、ファインダを構成する接眼ファインダ窓２９や装填蓋１３の開閉を行うための裏蓋開閉スイッチ３０の他に、図示は省略するが、電源スイッチや各種設定を行う操作キー等が設けられ、本体カバー１２の側面には、外観部品として、図示しないストラップを取り付けられるストラップ固定具３２などが設けられている。
【００１３】
図３は、ボディ本体１１と電池収納ユニット１６とからなる本発明のカメラボディの外観形状の斜視図を示したものである。図３に示すように、ボディ本体１１のレンズ鏡筒２１の図中左右方向には、図示しない写真フイルム（フイルムパトローネ）が装填されるフイルム装填部３５と、フイルム装填部３５から引き出された写真フイルムを巻き取るフイルム巻取り部３６とがレンズ鏡胴２１を挟み込むように設けられている。また、レンズ鏡胴２１の上部には、写真カメラ１０の動作を制御するＣＰＵ（マイクロプロセッサ）３７等が実装された制御用プリント配線板（以下、単に制御用ＰＣＢという）３８等が設けられている。さらに、制御用ＰＣＢ３８とレンズ鏡筒１７との間には、ファインダ光学系と測距素子とが組み込まれた測距ユニット４０が設けられている。
【００１４】
レンズ鏡筒２１の背面側には、図示は省略するがアパーチャや、写真フイルム（図示せず）を搬送するためのガイドレール等が形成されている。また、ボディ本体１１内には、レンズ鏡筒２１を撮影光軸方向に移動させるための鏡胴移動機構４１（図４参照）が設けられている。この鏡胴移動機構４１は複数のギヤ４１ａなどから構成される。そして、ズーミング時に、各ギヤが後述するズームモータ４２（図４参照）によって回転駆動されることで、レンズ鏡胴２１を撮影光軸方向、つまり、上述の収納位置と突出位置との間で移動させることができる。
【００１５】
装填蓋１３は、図２に示すように、ボディ本体１１にヒンジ部４５を介して取り付けられている。ヒンジ部４５は、ボディ本体１１に形成されたヒンジ軸４５ａと、装填蓋１３に形成されたヒンジ受け部４５ｂとから構成される。装填蓋１３は、ヒンジ部４５を中心として、ボディ本体１１の背面、及びフイルム装填部３５に形成されたフイルム装填用開口（図示せず）を覆った閉じ位置と、この装填用開口（図示せず）を露呈させた開き位置との間で自在に回動させられる。
【００１６】
装填蓋１３は、写真フイルム装填時以外は、閉じ位置の状態でボディ本体１１に固定され、上述の裏蓋開閉スイッチ３０を撮影者が操作したときのみ、開き位置に回動させることができる。そして、写真フイルム（図示せず）をフイルム装填用開口（図示せず）から装填して、この装填蓋１３を閉じ位置に回動させた後に、裏蓋開閉スイッチ３０を操作して装填蓋１３をボディ本体１１に固定させると、後述する裏蓋開閉検出器４６（図５参照）がこれを検知して、写真フイルムの初期送りが開始される。
【００１７】
電池蓋１７は、電池１５（図４参照）を装填、或いは取り出しをする際に開閉される装填蓋であり、図１に示すように、ボディ本体１１にヒンジ部４７を介して取り付けられている。ヒンジ部４７もボディ本体１１に形成されたヒンジ軸４７ａと、電池蓋１７に形成されたヒンジ受け部４７ｂとから構成され、後述する電池収納ユニット１６（図３参照）を露呈させた開き位置と、電池収納ユニット１６を覆った閉じ位置との間で自在に回動される。電池蓋１７は、電池１５装填時以外は閉じ位置の状態でボディ本体１１に固定され、装填蓋１３に設けられた電池蓋開閉スイッチ４８を撮影者が操作したときのみ、開き位置に回動させることができる。
【００１８】
制御用ＰＣＢ３８は、その一端側がネジ４９によりボディ本体１１に固定（ネジ止め）され、他端側が、詳しくは後述するが電池収納ユニット１６に設けられたＰＣＢ取付部（ネジ止めボス）にネジ止めされている。制御用ＰＣＢ３８には、図３に示すようにＣＰＵ３７の他に、図示は省略するが、ＲＡＭやＲＯＭ等が実装されている。さらに、この制御用ＰＣＢ３８には、ズームモータ４２、裏蓋開閉検出器４６、及びレリーズボタン２８の押圧操作を検出する押圧操作検出器５０等の各種モータ及び検出器（センサ）や、後述するストロボ用プリント配線板（ストロボ用ＰＣＢ）５１（図４参照）等の写真カメラ１０の各部を動作させるための電子部品が実装された各種ＰＣＢが、図示しないリード線やフレキシブルプリント配線板を介して電気的に接続されている。
【００１９】
電池収納ユニット１６は、ボディ本体１１とともにカメラボディを構成している。この電池収納ユニット１６は、ボディ本体１１と別体に設けられ、詳しくは後述するがネジ７２、ユニット止めボス７０等によりボディ本体１１にネジ止めされている。これにより、同じ種類の電池１５を収納する写真カメラであれば、撮影レンズ２０やレンズ鏡胴２１などの各種仕様が異なる写真カメラでも電池収納ユニット１６を共通化させることができるが、上述したように、共通化されるのがユニット内に形成された電池収納室５３（図４参照）のみであると、共通化されている部品の数が少ないため、低コスト化を図ったり、設計作業の手間を減らしたりするのには限界がある。
【００２０】
そこで、本実施例では、仕様の異なる写真カメラでも共通化できる各種機能部品を電池収納ユニット１６に設けることで、カメラの仕様（スペック）にあまり関係ない各機能部品を、仕様の異なる写真カメラでも共通化できるようにする。以下、この電池収納ユニット１６の構造に関して、図４及び図５を用いて説明する。図４は電池収納ユニット１６を図３中のＡ方向から見た斜視図であり、図５は図３中のＢ方向から見た斜視図である。なお、図５中ではボディ本体１１や制御用ＰＣＢ３８等の図示は省略している。
【００２１】
図４及び図５に示すように、電池収納ユニット１６のユニット本体１６ａの略中央部には、上述の電池１５が収納される電池収納室５３と、上述のメインコンデンサ５５が保持されるコンデンサ室５７とが形成されている。また、ユニット本体１６ａの上面には、裏蓋開閉検出器４６と、一端がボディ本体１１に固定された制御用ＰＣＢ３８の他端を固定するＰＣＢ取付部６０と、ストラップ固定具３２を固定する固定具取付部６１と、ユニット本体１６ａをボディ本体１１に連結させるためのユニット連結部６２とが設けられている。さらに、ユニット本体１６ａの底面には、ズームモータ４２を保持するモータ保持部材６３が設けられている。
【００２２】
電池収納室５３内には、収納された電池１５の陽極と負極とに対応する位置に、陽極用切片６４ａと負極用切片６４ｂとがそれぞれ設けられている（図４参照）。各切片６４ａ，６４ｂは、図示しないリード配線等を介して、制御用ＰＣＢ３８に電気的に接続されている。そして、電池収納室５３に収納された電池１５の電力は、各切片６４ａ，６４ｂ及び制御用ＰＣＢ３８を介して、写真カメラ１０の各部に供給される。
【００２３】
メインコンデンサ５５は、ユニット本体１６ａにネジ止めされたコンデンサ保持部材６６によりコンデンサ室５７内に保持される。メインコンデンサ５５は、その接続端子５５ａが上述のストロボ用ＰＣＢ５１に半田付けされるなどして、ストロボ用ＰＣＢ５１と電気的に接続されている。このストロボ用ＰＣＢ５１には、メインコンデンサ５５以外に、図示は省略するがトランスなどが設けられているとともに、上述のストロボ発光部２２や制御用ＰＣＢ３８などが図示しないリード配線等を介して電気的に接続されている。メインコンデンサ５５には、制御用ＰＣＢ３８を介して接続された電池１５からトランス（図示せず）を介して昇圧された電荷が蓄えられる。そして、ストロボ発光時にはメインコンデンサ５５に蓄えられた電荷がストロボ発光部２２の放電管に流される。
【００２４】
裏蓋開閉検出器４６は、本体カバー１２に固定された裏蓋開閉スイッチ３０が装填蓋１３を閉じ位置の状態で固定するロック位置と、装填蓋１３を回動可能なロック解除位置とのいずれに切り替えられているかを検出することで、装填蓋１３が回動可能な状態にあるか否かを検出する。本実施例では、裏蓋開閉検出器４６として、制御用ＰＣＢ３８にそれぞれ電気的に接続された一対の金属接片４６ａ，４６ｂを、プラスチック等の絶縁性を有するホルダー４６ｃで保持したものを用いる（図５参照）。また、裏蓋開閉スイッチ３０として、ロック解除位置に切替操作したときに、スイッチ本体３０ａから突起３０ｂが金属接片４６ａ，４６ｂに向けて突出し、ロック位置に切替操作したときに、この突起３０ｂがスイッチ本体３０ａ内に沈胴するものを用いる。
【００２５】
裏蓋開閉スイッチ３０をロック位置からロック解除位置に切替操作すると、スイッチ本体３０ａから突起３０ｂが突出して、金属接片４６ａ，４６ｂが接触するため、ＣＰＵ３７は、装填蓋１３が回動可能な状態であると判定する。また、逆に、裏蓋開閉スイッチ３０をロック解除位置からロック位置に切替操作すると、両方の金属接片４６ａ，４６ｂが離れるため、ＣＰＵ３７は、装填蓋１３が固定された状態であると判定する。なお、本実施例では、裏蓋開閉スイッチ３０の切替操作を検出して、装填蓋１３が回動可能な状態であるか、固定された状態であるかを検出することで間接的に装填蓋１３の開閉を検出するようにしているが、装填蓋１３のボディ本体１１側の面に、金属接片４６ａ，４６ｂを押圧できるような突起を形成して、装填蓋１３の開閉を直接検出するようにしてもよい。また、裏蓋開閉スイッチ３０、及び裏蓋開閉検出器４６の形状も本実施例の形状（構造）に限定されるものではなく、任意の形状のスイッチ、検出器を用いてよい。
【００２６】
ＰＣＢ取付部６０として、本実施例では例えばネジ止めボスを用いる。そのため、制御用ＰＣＢ３８には、ネジ止め用の貫通孔３８ａを予め形成しておく。そして、この貫通孔３８ａを介して、制御ＰＣＢ３８をＰＣＢ保持部材（ネジ止めボス）６０にネジ６８を用いてネジ止めする。これにより、制御用ＰＣＢ３８の両端がそれぞれボディ本体１１と電池収納ユニット１６とに固定される。
【００２７】
固定具取付部６１もＰＣＢ取付部６０と同様に、ネジ止めボスを用いる。そのため、ストラップ固定具３２に雄ネジ部３２ａを形成しておくとともに、本体カバー１２のストラップ固定具３２を取り付ける位置に貫通孔（図示せず）を形成しておく。これにより、本体カバー１２に形成された貫通孔（図示せず）を介して、ストラップ固定具３２を固定具取付部（ネジ止めボス）６１にネジ止めすることで、ストラップ固定具３２が電池収納ユニット１６に固定される。
【００２８】
ユニット連結部６２は、フイルム装填部３５の側面の所定位置に形成されたユニットネジ止めボス７０（図４参照）に対応する位置に設けられている。このユニット連結部６２には、ユニットネジ止めボス７０に嵌合する嵌合穴６２ａ（図５参照）が、ユニットネジ止めボス７０と対面する側の面に形成されている。さらに、このユニット連結部６２には、嵌合穴６２ａに嵌合したネジ止めボス７０に、電池収納ユニット１６の側からネジ止めをできるように、ネジ孔（貫通孔）６２ｂが形成されている。従って、ユニット連結部６２の嵌合穴６２ａに、ボディ本体１１のネジ止めボス７０を嵌合させた後に、ネジ７２を用いてネジ止めボス７０にネジ止めすることで、電池収納ユニット１６をボディ本体１１に連結して一体化させることができる。
【００２９】
ズームモータ４２は、モータ保持部材６３により電池収納ユニット１６の底面に保持される。このズームモータ４２の回転軸にはギヤ７５が取り付けられている。従って、電池収納ユニット１６をボディ本体１１に連結させたときに、ギヤ７５が鏡胴移動機構４１を構成するギヤ４１ａに噛合するように、フイルム装填部３５の側面にギヤ４１ａを露呈させるための開口３５ａを形成しておく。また、同時にズームモータ４２及び鏡胴移動機構４１の配置を調整しておく。これにより、ズームモータ４２を回転させることで、鏡胴移動機構４１を介してレンズ鏡胴２１を撮影光軸方向に移動させることができる。
【００３０】
以上のように、写真カメラ１０のカメラボディを、電池収納室５３が形成されているとともに、ズームモータ４２（モータ保持部材６３）、裏蓋開閉検出器４６、メインコンデンサ５５（コンデンサ保持部材６６）、ＰＣＢ取付部６０、固定具取付部６１などの仕様の異なる写真カメラでも使用可能な機能部品が設けられた別体の電池収納ユニット１６を、ボディ本体１１に連結して一体化させた構造にすることで、撮影レンズ２０やレンズ鏡胴２１などの撮影機構の仕様が異なる写真カメラでも、電池収納室収納ユニット１６及び各機能部品は写真カメラ１０と共通化させることができる。その結果、仕様の異なる多機種の写真カメラで共通化できる部品の数を増やすことができるので、写真カメラの製造コストを下げることができる。また、仕様の異なる写真カメラを設計するときは、共通化されていない部分、つまり、仕様が異なっている部分のみを新たに設計すればよいので、設計作業の手間を減らすことができる。
【００３１】
なお、本実施例では、ＰＣＢ取付部６０に制御用ＰＣＢ３８を固定させるようにしたが、本発明はこれに限定されるものではなく、写真カメラ１０の各部を動作させるための電子部品が実装された各種ＰＣＢの固定させてもよい。さらに、電池収納ユニット１６に複数のＰＣＢ取付部を設けて、複数のＰＣＢを固定できるようにしてもよい。
【００３２】
また、固定具取付部６１に固定される外観部品もストラップ固定具３２に限定されるものではなく、写真カメラ１０をホールディングする時の指掛かりとなるグリップ部材等の各種外観部品を固定させてもよい。さらに、電池収納ユニット１６に複数の固定具取付部を設けて、複数の外観部品を固定できるようにしてもよい。
【００３３】
さらに、電池収納ユニット１６に収納される電池１５は、１次電池や２次電池のいずれかに限定されるものではなく、任意の種類及び形状の電池１５を収納することができる。また、電池収納室５３に収納される電池１５の数は１本に限定されるものではなく、２本以上収納してもよい。この場合には、収納される電池１５の種類、形状、数に合わせて、電池収納室５３の形状を変えればよい。
【００３４】
なお、本実施例では、写真フイルムを用いて撮影を行う写真カメラ１０について、説明を行ったが、本発明は写真カメラに限定されるものではなく、デジタルカメラやデジタルビデオカメラなどの電池を電源としている各種カメラに適用することができる。この場合には、電池収納ユニット１６に裏蓋開閉検出器４６を設ける必要はない。
【図面の簡単な説明】
【００３５】
【図１】本発明を実施した写真カメラの正面斜視図である。
【図２】写真カメラの背面斜視図である
【図３】ボディ本体と電池収納ユニットとからなるカメラボディの外観形状の斜視図である。
【図４】電池収納ユニットを図３中のＡ方向から見た斜視図である。
【図５】電池収納ユニットを図３中のＢ方向から見た斜視図である。
【符号の説明】
【００３６】
１０  写真カメラ
１１  カメラ本体
１３  裏蓋
１５  電池
１６  電池収納ユニット
２１  レンズ鏡胴
３２  ストラップ固定具
３８  制御用ＰＣＢ
４２  ズームモータ
４６  裏蓋開閉検出器
５３  電池収納室
５５  メインコンデンサ
６０  ＰＣＢ取付部
６１  固定具取付部
６２  ユニット連結部
６３  モータ保持部材
６６  コンデンサ保持部材
７０  ユニットネジ止めボス
【図１】
2006030797.tif 000003
【図２】
2006030797.tif 000004
【図３】
2006030797.tif 000005
【図４】
2006030797.tif 000006
【図５】
2006030797.tif 000007